(57)【要約】【課題】広い範囲にわたってもぐらや鳥、猪などが田畑に侵入するのを防止する鳥獣の忌避撃退装置を提供すること。【解決手段】地面に立設される支柱部材２の上方に配設された横方向の梁部材２Ｂにパイプ状の縦筒部材３を取付け、更に縦筒部材３の内部に振子部材４を揺動可能に収容し、縦筒部材３の下部に羽根部材５を露出させて配設し、これらの振子部材４と羽根部材５が糸体７，７を介して吊り下げられた状態に構成し、羽根部材５が風を受けて自在に揺動すると、その上部の振子部材４が縦筒部材３の内面を叩きその衝撃により発生する振動音を梁部材２Ｂ及び支柱部材２を介して地中に伝搬させ、もぐらや鳥、猪等の鳥獣を脅して撃退させる。【選択図】    図１
2004222566.tif 000002
【特許請求の範囲】
【請求項１】
地面に立設される支柱部材の上方に配設された横方向の梁部材にパイプ状の縦筒部材を取付け、更に縦筒部材の内部に振子部材を揺動可能に収容し、縦筒部材の下部に羽根部材を露出させて配設し、これらの振子部材と羽根部材が糸体を介して吊り下げられた状態に構成し、羽根部材が風を受けて自在に揺動すると、その上部の振子部材が縦筒部材の内面を叩きその衝撃により発生する振動音を梁部材及び支柱部材を介して地中に伝搬させ、もぐらや鳥、猪等の鳥獣を脅して撃退させることを特徴とする鳥獣の忌避撃退装置。
【請求項２】
支柱部材の上端を屈曲形成して横方向の梁部材を構成し、該梁部材の先端に縦筒部材を取付けたことを特徴とする請求項１記載の鳥獣の忌避撃退装置。
【請求項３】
羽根部材の一部を支柱部材の中途に衝接可能に構成したことを特徴とする請求項１若しくは請求項２記載の鳥獣の忌避撃退装置。
【請求項４】
支柱部材の上端に水平状の梁部材を振り分けにして放射状に複数設け、各梁部材の各々にパイプ状の吊鐘を１個づつ取付けたことを特徴とする請求項１記載の鳥獣の忌避撃退装置。
【請求項５】
支柱部材と梁部材と縦筒部材及び羽根部材を金属製にしたことを特徴とする請求項１ないしは請求項４のいずれか１項に記載の鳥獣の忌避撃退装置。
【請求項６】
振子部材をハンガー部材に吊設し、縦筒部材の上方より振子部材を差し込み可能にすると共にハンガー部材を縦筒部材の上端に掛止自在に構成したことを特徴とする請求項１ないしは請求項５のいずれか１項に記載の鳥獣の忌避撃退装置。
【発明の詳細な説明】
【０００１】
【発明の属する技術分野】
本発明はもぐらや鳥、猪等の鳥獣が、田畑に進入するのを防止するおどし装置に関するものである。
【０００２】
【従来の技術】
従来、例えば、もぐらによる田畑の被害を防止するため捕獲器にて駆除されていたが鋭敏な性質から大きな成果を上げることができなかった。
【０００３】
このため聴覚が発達しているもぐらの性質に着目し、金属音を発生させてもぐらの侵入を防止するおどし装置が考案されている。例えば、特開平１１−５６２１１号公報に記載されるように回転羽根に風が作用することにより鳴子がベルを殴打してベル音を土中に伝播するものや、特公昭５７−５１３０号公報に示されるように羽根車の軸受と横桿の水平軸との間に一定の間隙を形成し羽根車が回転すると羽根車の軸受が横桿の水平軸に落下することで羽根車の軸受と横桿の水平軸との接触音を発生させ、この接触音によってもぐらが近寄らないようにしたものなどが提案されている。
【０００４】
【発明が解決しようとする課題】
しかしながら前述したおどし装置の場合、前者のものは回転する鳴子とベルとの関係に基づく殴打音を地中に伝播するも接触部の抵抗があるのである程度の強風でないと期待する音が発生しない恐れがあり構造も複雑となっている。また、後者のものは羽根車の軸受と横桿の水平軸とのガタツキによる羽根車と横桿との接触音を地上で発生させその接触音を空中に伝達させるにすぎず、もぐらに対するおどし効果は狭い範囲に限定される欠点がある。又、その他従来考案されたこの種の装置はいずれの場合も羽根車、軸受といった回転部分があり、その分だけ複雑になり強風等に依る摩耗など耐久性に乏しいという欠点もある。
【０００５】
本発明はこのような問題点に留意して考案したものでもぐらが忌避する金属振動音を地中に伝搬させ広い範囲に渡ってもぐらの侵入を防止、撃退することのできるおどし装置を提供するものである。
【０００６】
【課題を解決するための手段】
本発明は地面に立設される支柱部材の上方に配設された横方向の梁部材にパイプ状の縦筒部材を溶接して取付け、更に縦筒部材の内部に振子部材を揺動可能に収容し、縦筒部材の下部に羽根部材を露出させて配設し、これらの振子部材と羽根部材が糸体を介して吊り下げられた状態に構成し、羽根部材が風を受けて自在に揺動すると、その上部の振子部材が縦筒部材の内面を叩きその衝撃により発生する振動音を梁部材及び支柱部材を介して地中に伝搬させ、もぐらや鳥、猪等の鳥獣を脅して撃退させることを特徴とするものである。
【０００７】
【発明の実施と形態】
以下、本発明の実施例の形態について図面に基づいて説明する。図１及び図２には本発明の第一実施形態であるもぐらや鳥、猪等の鳥獣を脅して撃退させることができる鳥獣の忌避撃退装置としてもぐら撃退器１が示されている。このもぐら撃退器１は金属製のパイプ状支柱２と、この支柱２中途上方を弓状に湾曲形成して懐部２Ａを設けると共にその上端を水平に曲げて横方向の梁部材２Ｂを構成し、該梁部材２Ｂの先端に金属パイプ製の縦筒部材（吊鐘）３が溶接で取付け固定されて前記懐部２Ａに垂設してある。
【０００８】
上記縦筒部材３の内部に、金属製のハンガー部材６からナイロン糸７で吊してある金属製の分銅からなる振子部材４が揺動可能に収容され、更に縦筒部材３の下部に露出して短冊状の金属板製の羽根部材５が振子部材４からナイロン糸７で吊してあって風鈴の如く構成されており、ナイロン糸７、７の結合は各々圧着止め金具８、８、８、８でカシメて組み立てられる。なお９は蛍光塗料の塗布で構成される発光部で蓄光作用により夜間きらきら光らせることができるので、猪や鹿等の夜行性動物の撃退には更に有効的である。
【０００９】
そして支柱部材２の下部は直線状部２Ｃにされその下端が地中に刺込み易いようにヤリ状に尖鋭カットされ、支柱部材２の上端は弓状のＬ字形に曲げて前記縦筒部材３が直線状部２Ｃの鉛直線上に位置するように溶接されているので、これもまた地中に打込み易くなっている。
【００１０】
このような構成において、支柱部材２を地面に刺込んで立設しておくと、羽根部材５は金属製である程度の重量を有しているが故に微風程度の風に対しても軽快に振れることができることとなり羽根部材５が風を受けて自在に揺動すると、その上部の振子部材４が縦筒部材３の内面を叩くことができ、その衝撃により発生する振動音を梁部材２Ｂ及び支柱部材２を介して地中に伝搬させ、もぐらや鳥、猪等の鳥獣を脅して撃退させることができる。自然風の風速及び方向は様々であるが、羽根部材５は如何なる風速及び方向の風であっても軽快に強弱に振れることとなり、結果的に種々不定の衝撃音と振動を発することとなって更に撃退作用が増大することになる。
【００１１】
この場合、ハンガー部材６は縦筒部材３に固定せず出来るだけ軽く嵌め込む程度にした方が振動の伝達が良好である。なお、振子部材４は縦筒部材３から飛び出ない程度になるべく下端に近づけて取り付けた方が振幅が大で大きな振動音を発生できる。そして、羽根部材５の一部５Ａが支柱部材２の中途に衝突して接当するようにすると、羽根部材５が支柱部材に衝接して更なる打撃音を発して、振動伝播が複合して更に忌避撃退に有効である。
【００１２】
また、支柱部材２の下部２Ｃにフック部材２Ｄを設けて、支柱部材２を圃場の周囲に複数本適宜間隔に地面に立設して隣接する支柱部材２同志のフック部材２Ｄにナイロン糸等を張設して、例えばイノシシの鼻高さ位置等にナイロン糸Ｎを圃場の周囲に張り巡らしておく。この場合に前記フック部材２Ｄを上下多段に設けて、前記ナイロン糸Ｎを上下多段に張り巡らしておいても良い。
このようにしておくと、無風状態で静寂な条件の中でイノシシが圃場に侵入しようとした時にナイロン糸に触れて支柱部材を揺らすことになり、これにより羽根部材４及び振子部材４が揺動され縦筒部材３が打撃されて打撃音が不意に発することとなり、警戒心の強いイノシシを驚かせて撃退させることができる。
【００１３】
また、各部材が金属製である時には夜間の静寂の中で遠方まで打撃音が伝播する恐れがあり、鳥獣の忌避撃退の必要が無いときにはハンガー部材６、振子部材４、羽根部材５を縦筒部材３から簡単に取り外しておくことができるので、防音することができる。なお、この場合振子部材４の揺動を止める特別のストッパー（図示せず）を縦筒部材５に挿入したり、ハンガー部材６からのナイロン糸７の長さを調節して振り子部材を縦筒部材の下側に露出するようにしても同様の防音効果が得られる。
【００１４】
図３には本発明の第二実施形態であるもぐらや鳥、猪等の鳥獣を脅して撃退させることができる鳥獣の忌避撃退装置としてもぐら撃退器１０が示されている。このもぐら撃退器１は金属製のパイプ状支柱１１と、この支柱１１の上方に水平状の梁部材１１Ｂが横方向に設けられ、該梁部材１１Ｂの先端に金属パイプ製の縦筒部材（吊鐘）３が溶接で取付け固定してある。前記梁部材１１Ｂは片側に一個でも良く、或いは振り分けにして２個以上の複数個を放射状に配設しても良い。
【００１５】
縦筒部材３等の振動発生構成は前記第一実施形態と同様であり、鳥獣の撃退効果も同様に奏することができる。なお、縦筒部材の数を増すごとに振動音をより複合的に奏することができ撃退作用を増大することができる。
【００１６】
【発明の効果】
以上のように本発明によれば、地面に立設される支柱部材の上方に形成された横方向の梁部材にパイプ状の縦筒部材を取付け、更に縦筒部材の内部に振子部材を揺動可能に収容し、縦筒部材の下部に羽根部材を露出させて配設し、これらの振子部材と羽根部材が糸体を介して吊り下げられた状態に構成し、羽根部材が風を受けて自在に揺動すると、その上部の振子部材が縦筒部材の内面を叩きその衝撃により発生する振動音を梁部材及び支柱部材を介して地中に伝搬させ、もぐらや鳥、猪等の鳥獣を脅して撃退させることにより、広範囲にわたってもぐらが侵入するのを撃退、防止することができる。また、従来の装置と比べ、本装置は回転部分など一切無いので耐久性が高い。
【図面の簡単な説明】
【図１】本発明の第一実施形態の鳥獣の忌避撃退装置を示す全体側面図である。
【図２】図１の忌避撃退装置の一部を省略して示す拡大図囲である。
【図３】本発明の第二実施形態の鳥獣の忌避撃退装置を示す全体側面図である。
【符号の説明】
１  第一実施形態の鳥獣の忌避撃退装置
２  支柱部材
２Ｂ  梁部材
３  縦筒部材（吊鐘）
４  振子部材
５  羽根部材
６  ハンガー部材
７  ナイロン糸
８  圧着止め金具
９  蛍光塗料
１０  第ニ実施形態の鳥獣の忌避撃退装置
１１  支柱部材
１１Ｂ  梁部材
【図１】
2004222566.tif 000003
【図２】
2004222566.tif 000004
【図３】
2004222566.tif 000005